(57)【要約】【目的】苔を用いたメッセージ手段を作る。【構成】メッセージケース１のケース部分をケース本体２とふた３で構成し、ふた３をヒンジで回転自在とする。ふた３にはメッセージ体７を取付ける。メッセージ体７には苔８とメッセージカード１０を入れる。メッセージカード１０はメッセージベース１１に取り付ける。メッセージケース１はスポイト、キャンドルペンと共に袋等へ入れてメッセージセットとする。メッセージカード１０は水で濡れると、鮮明に発色等するので、予めメッセージカード１０に撥水性材料で文字等のメッセージを書いておくことにより、スポイトで苔８へ水やりすると同時にメッセージカード１０へ水をかけると、メッセージが現れる。【選択図】    図２
2005013062.tif 000002
【特許請求の範囲】
【請求項１】
苔と、水で濡れたときメッセージが現れる水性メッセージ手段と、苔と水性メッセージ手段の双方へ給水する給水手段とを組み合わせたことを特徴とする苔を用いたメッセージセット。
【請求項２】
一つのケースに、前記水性メッセージ手段と前記苔を入れてメッセージケースとしたことを特徴とする請求項１の苔を用いたメッセージセット。
【請求項３】
前記メッセージケースと前記給水手段を同梱したことを特徴とする請求項２の苔を用いたメッセージセット。
【請求項４】
前記メッセージケースに前記給水手段を収納したことを特徴とする請求項２の苔を用いたメッセージセット。
【請求項５】
前記ケース内へ前記苔とメッセージベースを区画して入れ、このメッセージベース上に前記水性メッセージ手段を取り付けたことを特徴とする請求項１の苔を用いたメッセージセット。
【発明の詳細な説明】
【０００１】
【発明の属する技術分野】
この発明は、好みのメッセージを表出できるとともに、苔を一緒に用いて室内装飾等に利用できるようにしたメッセージセットに関する。
【０００２】
【従来の技術】
苔を芝生などのグランドカバー用植物と同様に使用することは知られているが、これを携帯可能にして持ち歩くようにすることを本願出願人がすでに提案した。
【０００３】
【発明が解決しようとする課題】
しかし、このような携帯式の苔を、メッセージを表示する手段としても使用するようなことは知られていない。そこで本願発明は、苔をメッセージ手段に利用することを目的とする。
【０００４】
【課題を解決するための手段】
上記課題を解決するため本願の苔を用いたメッセージセットに係る請求項１は、苔と、水で濡れたときメッセージが現れる水性メッセージ手段と、苔と水性メッセージ手段の双方へ給水する給水手段とを組み合わせたことを特徴とする。
【０００５】
請求項２は、上記請求項１において、一つのケースに、前記水性メッセージ手段と前記苔を入れてメッセージケースとしたことを特徴とする。
【０００６】
請求項３は上記請求項２において、前記メッセージケースと前記給水手段を同梱したことを特徴とする請求項２の苔を用いたメッセージセット。
【０００７】
請求項４は上記請求項２において、前記メッセージケースに前記給水手段を収納したことを特徴とする。
【０００８】
請求項５は上記請求項１において、前記ケース内へ前記苔とメッセージベースを区画して入れ、このメッセージベース上に前記水性メッセージ手段を取り付けたことを特徴とする。
【０００９】
【発明の効果】
請求項１によれば、苔と、水性メッセージ手段と、給水手段とを組み合わせてセットにしたので、給水手段により苔へ給水すると同時に、水性メッセージ手段へ水をかけると所定のメッセージが現れる。したがって、共通の給水手段により苔への給水とメッセージの表現が可能になる。苔を添えて趣味感に優れたメッセージ手段を構成できる。
【００１０】
請求項２によれば、メッセージケースとして苔と水性メッセージ手段を一つのケースに入れたので、このメッセージケースを渡せば、これを受け取った人は、苔を見て楽しみながら水性メッセージ手段により所定のメッセージを受け取ることができる。
【００１１】
請求項３によれば、メッセージケースと給水手段を同梱したので、給水手段をメッセージケースと一緒にしておくことができ、必要なとき即座に給水できるとともに、給水手段による苔への給水と、メッセージの表出を同時かつ簡単に実現させることができる。
【００１２】
請求項４によれば、ケース内へ給水手段を入れたので、給水手段をメッセージケースと常時一体化して携帯でき、携帯時でも苔への給水とメッセージの表出を随時可能にすることができるので便利である。
【００１３】
請求項５によれば、ケース内へ苔とメッセージベースを区画して入れ、メッセージベースへ水性メッセージ手段を設けたので、苔とメッセージベースにより水性メッセージ手段を飾り、より趣味感を高めかつメッセージの印象を強くすることができる。
【００１４】
【発明の実施の形態】
以下、図面に基づいて一実施例を説明する。図１はメッセージセットを概略的に示し、図２はメッセージケースのふたを開いた状態、、図３はさらに反対側まで回転させてスタンドにした状態を示す。図４はメッセージ体の平面図、図５は図３の５−５線相当部位の断面図、図６はメッセージカードの作用を示す図である。
【００１５】
図１は、メッセージセット２０を示し、ビニール等の軟質プラスチック製など、適宜材料からなる袋２１の中にメッセージケース１と、スポイト２２及びキャンドルペン２３が同梱されている。
スポイト２２は給水手段の一例であり、軟質プラスチック製である。キャンドルペン２３はは油性筆記具の一例である。
【００１６】
図２及び３において、メッセージケース１は、ケース本体２とふた３を備える透明樹脂製である。但し、いずれか一方又は双方を任意の色に着色することは自由にできる。ふた３はヒンジ部４でケース本体２と連結し、ヒンジ部４を中心に回動自在であって、この回動によりケース本体２を開閉自在とし、ストッパ端部５にて回動を停止する。
【００１７】
ふた３のヒンジ部４近傍端部には略コ字状断面をなす溝部６が横断方向に一体形成され、この中にメッセージ体７の一端部が嵌合することにより、ふた３と一体化されている。メッセージ体７には苔８とメッセージカード１０が一緒に収容されている。ケース本体２は略矩形容器状をなし、ふた３を閉じたとき、その内部へふた３に支持されたメッセージ体７が収容されるようになっている。
【００１８】
図３に示すように、ふた３を開いて、ケース本体２の裏側まで回動させると、ケース本体２のヒンジ部４近傍へ切り込み状に形成されたストッパ端５（図２参照）がふた３の裏面へ当接して所定の傾斜角度を維持するスタンド状態になる。この状態でメッセージ体７は露出され、メッセージカード１０及び苔８はケース本体２から外へ出て外観側となる。
【００１９】
図４に示すように、メッセージ体７はケース本体２の内部へ嵌合する大きさ及び形状の金属や樹脂等の適宜材料よりなる上方が開放された容器状の収納部７ａを備え、この内部に、苔８とメッセージカード１０が一緒に収容されている。メッセージカード１０はメッセージベース１１の上にリベット等の適当な取付手段１２で固定されている。但し、メッセージカード１０の取付手段１２は、水により剥がれない程度のものであれば、他のどのような手段でも良い。
【００２０】
メッセージベース１１は、苔８との境界を曲線で区画しており、メッセージカード１０の背景としても機能する。メッセージベース１１は、鉄、アルミ、真鍮、鉛等の適宜な金属板を好みにより錆を発生させる等して部妙な色調や模様に着色する。例えば鉄板を用いる場合は、表面に赤錆を発生させると、その錆が不規則に濃色に変化することにより、微妙な模様を形成し、かつその渋い褐色の色調が苔８の緑と好適な対比となり、趣味感を良くする。
【００２１】
なお、金属板に代えて、木や石板等の天然材料もしくは陶片やガラス等の人工材料などを使用することができる。これらの場合は、素材自体の色や模様をし、リベットなどの取付手段１２によりメッセージカード１０を一体化している。
【００２２】
図５に示すように、メッセージベース１１は端部１３，１４を折り曲げてあり、端部１３は苔８との境界を正確かつ明確にし、苔８がメッセージカード１０の下へ入り込まないようにしている。但し、図示のように、苔８の周縁部の若干を押さえつけて境界を区画させても良い。この場合には苔８の固定も兼ねることができる。なお、溝部６へ嵌合される側となる端部１４は省略して切り放し状にしておくことができる。
【００２３】
また、端部１４側が溝部６の下方に入り込むことにより、メッセージ体７がふた３に対して固定されて一体化されている。但し、必ずしも端部１４を溝部６の下へ挿入することにより固定するばかりでなく、メッセージ体７をふた３へ接着等により固定することもできる。
【００２４】
収容部７ａ内には、苔８の根側が適当な接着剤９により一体化されている。なお苔８には一般植物のようなねは存在しないので、このように接着が可能になる。本願では仮根が形成される茎側端部を根側というものとする。また、根側が不織布等の基材層へ植え付けられていて、個々に分離しにくくなっている場合には、接着をせずに所定スペース内へ密に基材層側を押し込むだけでも固定できる。
【００２５】
苔８はケース本体２内へ収容して水や日光が不足した状態になれば仮眠状態となり、この収納状態のまま携帯でき、また、物流等に置くことができるようになるので、取り扱いが便利になる。一方、外気に露出させて、苔８の表側になっている葉の側に水を与えたり日光に当てると、容易に活性化して生長を開始し、そのままの状態で室内装飾等の表示物として利用できる。このような苔としてスナゴケ等の種々なものが公知である。
【００２６】
メッセージカード１０は予め淡色等を呈しており、水で濡らすことにより鮮やかな色又は濃色に発色又は呈色し、乾くと再び元の色に戻る、可逆式の水性変色紙であり、例えば書道の練習用紙として知られている（一例として、パイロット社製「れんしゅう用紙」）。
【００２７】
このメッセージカード１０の表面へ油性筆記具にて適当なメッセージを記述しておけば、メッセージカード１０が乾いているときはほとんどメッセージが見えず、メッセージカード１０に水をかけて発色させると、メッセージ部分が塗れずにもとの淡色等のままとなるので、メッセージが鮮やかに出現する。
【００２８】
このようなメッセージは、油性筆記具を用いることにより、文字、記号、模様等任意に作成できる。これを図６によりさらに説明する。
まずＡにおいて、メッセージカード１０の上にキャンドルペン２３で好みの文字等のメッセージ２４を書く。キャンドルペン２３はロウからなる油性筆記具の一例であり、この状態では、文字等のメッセージ２４はほとんど見えない。
【００２９】
その後、Ｂに示すように、メッセージカード１０の上にスポイト２２で水をかければメッセージカード１０は水がかかった部分が濡れて鮮やかな色に発色もしくは呈色する。しかし、キャンドルペン２３で書かれた文字等のメッセージ部分は、ロウによって形成されているから撥水して濡れないため、周囲の濡れた色と、メッセージ部分の乾燥状態のままの色との彩度等の差により、文字等のメッセージ２４ががくっきりと現れることになる。
【００３０】
次に、本実施例の作用を説明する。メッセージを送りたい者は、図１のメッセージセット２０を購入し、メッセージケース１のふた３を開いてキャンドルペン２３にてメッセージカード１０の上に好みの文字等からなるメッセージを書き、再びふた３を閉じて元のメッセージセット２０とし、又は、メッセージケース１とスポイト２２を一緒にして、メッセージを伝えたい相手へ渡す。
【００３１】
メッセージケース１をもらった相手は、ふた３を開いてスポイト２２により苔８へ水をかける。同時にメッセージカード１０へも水をかけると文字等のメッセージが周囲の発色により鮮やかに現れ、明瞭なメッセージを表す。
したがって、苔８に水やりするためのスポイト２２を用いて同時にメッセージ２４を表現させることができる（図６）。そのうえ、メッセージケース１は携帯可能かつ手軽にプレゼントでき、しかも天然のグリーン粗材である苔８を添えることにより、趣味感に優れたメッセージ手段となる。
【００３２】
なお、本願発明は、実施例に限らず、種々に応用・変形が可能である。スポイト２２を溝部６等へ入れて一体化すれば、袋２１を省略できる。また、キャンドルペン２３は撥水性の文字等を書くことができれば、油性ペン等他のものに代えることができる。この場合は書いた文字等のメッセージが透明になるものが好ましい。さらに給水手段としては、スポイト２２に限らず、スプレー、綿棒及び筆等種々可能である。
【図面の簡単な説明】
【図１】実施例のメッセージセットを示す図
【図２】メッセージケースのふたを開いた状態における斜視図
【図３】スタンド状態にした斜視図
【図４】メッセージ体を示す図
【図５】図３の５−５線相当部位の断面図
【図６】メッセージカードの作用を示す図
【符号の説明】
１：メッセージケース、２：ケース本体、３：ふた、４：ヒンジ部、５：ストッパ、７：メッセージ体、８：苔、９：接着剤、１０：メッセージカード、１１：メッセージベース、１２：取付手段、１３：端部、１４：端部、２０：メッセージセット、２１：袋、２２：スポイト、２３：キャンドルペン、２４：メッセージ
【図１】
2005013062.tif 000003
【図２】
2005013062.tif 000004
【図３】
2005013062.tif 000005
【図４】
2005013062.tif 000006
【図５】
2005013062.tif 000007
【図６】
2005013062.tif 000008